【事件の表示】
　特許第２９５２７２３号「パチンコ機」の特許に対する特許異議の申立てについて、次のとおり決定する。
【結　論】
　特許第２９５２７２３号の特許を維持する。
【理　由】
１．本件発明
　本件特許第２９５２７２３号（平成３年４月８日出願、平成１１年７月１６日設定登録）の請求項１に係る発明（以下、「本件発明」という）は、その特許請求の範囲の請求項１に記載された次のとおりのものと認める。
　「窓部を有する額縁状の前面枠をプラスチックにより成形したパチンコ機において、
　上記前面枠の一側を蝶番により機枠に開閉可能に蝶着し、該前面枠の自由端側の裏面には施錠装置の金属製ベース板を添設し、その他の上記前面枠の裏面側の所要部位には金属製の不正防止板を添設して成り、
　上記施錠装置は、上記前面枠を機枠に対して閉止可能ならしめることにより遊技者の不正行為を防止し、上記不正防止板は、遊技者による不正から上記前面枠を保護することにより当該前面枠裏面側への悪影響を防止すると共に、プラスチック性の当該前面枠の剛性及び強度を高めることを可能にしたことを特徴とするパチンコ機。」
　
２．申立ての理由の概要
　特許異議申立人河井清悦は、下記の証拠方法を提出し、本件発明は、甲第１号証及び甲第２号証に記載された発明並びに周知技術に基いて、当業者が容易に発明をすることができたものであるから、その特許は、特許法第２９条第２項の規定に違反してされたものであり、取り消されるべきである旨主張している。
　　　　　　　　　　　　　　　　記
　甲第１号証：実願昭６０−１７８６８５号（実開昭６２−８７６７６号）のマイクロフィルム
　甲第２号証：特開平２−３４１８６号公報
　甲第３号証：特開昭６０−２４２８７７号公報
　甲第４号証：特開昭５７−１７６７８号公報
　甲第５号証：実願昭５４−５６７６６号（実開昭５５−１５６７８０号）のマイクロフィルム
　甲第６号証：実願昭５５−１２１３４０号（実開昭５７−４５９８０号）のマイクロフィルム
　甲第７号証：特開平２−７７２８０号公報
　甲第８号証：実願昭６３−１３９０６３号（実開平２−５８４８１号）のマイクロフィルム
　
３．甲号各証の記載事項
　甲第１号証には、次の事項が記載されている。
　(ア)「（１）遊技盤が固定された本体枠に開閉自在に軸着され、遊技盤の前面を覆うための前面ガラスを保持したパチンコ機のガラス枠において、前記遊技盤の前面を露呈させるための開口を形成するように樹脂により矩形枠状に一体成形された基枠と、この基枠の少なくとも対向し合う二辺に沿うように固着されてこれを補強するとともに、前記前面ガラスを保持するための樋が形成された枠部材とから構成されたことを特徴とするパチンコ機のガラス枠。
・・・
（３）前記基枠の外周を取り囲むように、基枠の四辺に沿って前記枠部材を取り付けたことを特徴とする実用新案登録請求の範囲第２項記載のパチンコ機のガラス枠。」（実用新案登録請求の範囲）
　(イ)「ガラス枠５は、プラスチックによって一体に成形された基枠１５と、基枠１５を補強するための金属板からなるフレーム１６，１７，１８，１９，２０，２１（第２図参照）とから構成される。」（６頁４行〜７行）
　(ウ)「このように、金属板からなるフレーム１６，１７，１８，１９，２０，２１を併用すれば、基枠１５を樹脂成形による一体成形品として作製しても、その強度を充分に保証することができるようになる。こうして基枠１５の樹脂成形化が可能になると、これに上皿２４の取り付けのための凹部２５や、景品球を排出させるための貫通穴２３，導入穴２８も基枠１５と一体に成形することができるようになるので、製造が格段に簡略化されるようになる。」（９頁１行〜１０行）
　(エ)「したがって、樹脂成形品を用いながら、ガラス枠としての強度を充分に保証することができるようになるとともに、前面ガラスの取り付け、保持も容易になるという利点がある。さらに、枠部材の取り付けによって、基枠の外周からの針金などの進入を防ぐこともできるようになるから、不正行為の防止という点でも好都合である。」（９頁１７行〜１０頁３行）
　甲第２号証には、次の事項が記載されている。
　(ア)「また、前面枠３２の開放側裏面のやや内側よりに施錠装置２３０が固定され、この施錠装置２３０によって外枠３１と前面枠３２とが施錠されるようになっている。なお、施錠装置２３０については、後に詳述する。」（５頁右上欄１６行〜２０行）
　(イ)「次に、前面枠３２の開放側の後面に設けられる前面枠３２の施錠装置２３０の構成について第５図及び第６Ａ図、第６Ｂ図を参照して説明する。まず、第５図において、前面枠３２の開放側端面よりやや内側に施錠装置２３０が固定されている。施錠装置２３０は、前面枠３２裏面と遊技盤固定枠３６の外側側面に当接する断面「Ｌ」字状の支持板２３１と、該支持板２３１の長手方向に沿って上下方向に摺動自在に設けられる前面枠用作動杆２３２と、前面枠３２の前方に突出するシリンダー錠２３８と、前記ガラス扉用作動杆９１の開放レバー９５と係合する上下摺動部材２４０とから構成されている。」（１２頁左下欄１１行〜右下欄３行）
　(ウ)「また、前面枠３２と外枠３１との開閉中心軸１９６、２１３を外枠３１側に設けたが、前面枠３２側に設けるようにしてもよい。また、一般的に外枠３１や前面枠３２は、木によって構成されるが、これらを金属、あるいは合成樹脂によ構成したものでも良い。」（１４頁左上欄１７行〜右上欄２行）。
　甲第３号証には、「前面枠２は外枠８の一側部に開閉自在に取付けられており、また遊技盤６の裏面側には機構板９が開閉自在に配設されている。前面枠２の一側部には本発明に係る施錠装置１０が設けられている。
　施錠装置１０は前面枠２に取付けられた取付基板１１に固着されたシリンダ錠１２を備え、このシリンダ錠１２の作動により前記外枠８に対する前面枠２と、前面枠２に対するガラス扉枠４とを選択的に開閉作動させる事が出来るようになされている。」（２頁右下欄１１行〜２０行）と記載されている。
　甲第４号証には、「ソレノイド４４が電気的に付勢されたとき、摺動板４２３を下方向に摺動させてガラス枠３３を開成させる。」（５頁右上欄５行〜８行）と記載されている。
　甲第５号証には、「図面中１はパチンコ機の外形を構成する機枠、２は機枠１の前面に蝶番３を介して開閉可能に取り付けられた扉枠、４は扉枠２に形成された窓、５は全体が扉枠２の前面に突出するように窓４の周縁に取付けられた金枠、６は窓４の上方部を開閉可能に覆うように金枠５の一側縁に蝶着されたガラス扉、７は窓４の下方部を開閉可能に覆うように金枠５の一側縁に蝶着された前面扉である。」（３頁５行〜１３行）と記載されている。
　甲第６号証には、「打玉誘導レール３を敷設させる転球板２を装着した本体枠前面の前面枠４に設けた広大な窓孔５に、扉状のガラス枠９を開閉可能に蝶着してなるパチンコ機枠において、ガラス枠９の裏面に後端縁１３を転球板２の前面に接触する防護板１２を突出させて設け、その防護板１２の下部片１２ａの打玉誘導レール３の打玉通過路３ｂに合致する位置に切除部１５を設けたことを特徴とするパチンコ機ガラス枠の不正防止装置。」（実用新案登録請求の範囲）と記載されている。
　甲第７号証には、次の事項が記載されている。
　(ア)「（１）弾球遊技機の前面に開閉自在に取り付けられる前面枠において、
　該前面枠は、方形状の窓開口と、該窓開口の周縁前部に形成される扉枠取付棚と、前記窓開口の下方一側に形成される操作ハンドル挿通口と、前記窓開口の下方中央に形成される余剰景品玉導出口と、を含んで合成樹脂により一体的に成型されるとともに、
　その表面に化粧箔が貼着されたことを特徴とする弾球遊技機の前面枠。」（特許請求の範囲）
　(イ)「まず、第１図に実施例に係る弾球遊技機の前面枠１が示されている。前面枠１は、合成樹脂製の前面枠本体２と、該前面枠本体２の表面に貼着された化粧箔２２とから構成されている。」（２頁左下欄５行〜８行）
　甲第８号証には、次の事項が記載されている。
　(ア)「ほぼ中央部に窓孔が設けられた額縁状の前面枠を合成樹脂の一体成形により形成すると共に、その前面枠の前面に飾り部材の取付用ベースを一体に形成したことを特徴とするパチンコ機の前面枠。」（実用新案登録請求の範囲）
　(イ)「従来、合成樹脂からなるパチンコ機の前面枠は、実公昭５２−５０８６９号公報、実開昭５４−７２１８７号公報等で知られていて公知である。」（１頁１４行〜１７行）
　(ウ)「そして、本考案はこれら飾り部材の取付用ベース８，１０，１２が形成された前面枠１を合成樹脂の一体成形により形成したことを特徴としている。」（３頁１４行〜第１６行）
　
４．対比・判断
　本件発明と甲号各証に記載された発明とを対比すると、甲号各証に記載された発明は、いずれもパチンコ機の枠に関するものであるが、これらの発明は、本件発明の構成に欠くことができない事項である、窓部を有する額縁状の前面枠をプラスチックにより成形したパチンコ機において、前面枠の自由端側の裏面には施錠装置の金属製ベース板を添設し、その他の上記前面枠の裏面側の所要部位には金属製の不正防止板を添設した構成を備えていない。すなわち、甲第１号証に記載された発明は、ガラス枠であって前面枠ではなく、施錠装置の金属製ベース板を添設していないし、また、甲第２号証及び甲第３号証に記載された発明は、前面枠がプラスチックで成形されておらず、施錠装置の支持板の材質も不明である。
　そして、本件発明は、明細書に記載されたとおりの、「金属製の不正防止板により、熱したピアノ線などを前面枠に押し当ててプラスチックを溶かすような遊技者の不正行為から上記前面枠を保護できるものとしたので、前面枠裏面側へ悪影響を及ぼすような遊技者の不正行為を未然に防止することができる。また、施錠装置の金属製ベース板および金属製の不正防止板によりプラスチック製の前面枠の剛性及び強度が高められる」という優れた効果を奏すると認めることができる。
　したがって、本件発明は、甲第１号証ないし甲第８号証に記載された発明に基いて、当業者が容易に発明をすることができたものであるとすることはできない。
　
５．むすび
　以上のとおりであるから、特許異議申立ての理由によっては、本件発明の特許を取り消すことはできない。
　また、他に本件発明の特許を取り消すべき理由を発見しない。
　よって、結論のとおり決定する。
【異議決定日】
平成１２年８月１８日（２０００．８．１８）